(57)【要約】【課題】後方歯および前方歯の両方への修復処置に対して優れた設計で、かつさらに適した歯科用ウェッジおよびマトリックスバンドを含む、先進的な製品および器具を提供する。【解決手段】前方歯用の歯科修復処置において使用するためのウェッジ。このウェッジは、ハンドル部分と、ハンドル部分に結合され、かつハンドル部分から外側に延在する本体部分と、本体部分に結合されたマトリックスバンドとを含む。本体部分は、前方歯と前方歯に隣接する歯との間の隣接空間内に配設されるように適合されている。マトリックスバンドは、本体部分が隣接空間内に配設されたとき、前方歯に接触するように適合されている。【選択図】図４Ａ
2020108868.tif 000002
【特許請求の範囲】
【請求項１】
前方歯用の歯科修復処置において使用するためのウェッジであって、
ハンドル部分と、
前記ハンドル部分に結合され、かつ前記ハンドル部分から外側に延在する本体部分であって、前記前方歯と前記前方歯に隣接する歯との間の隣接空間内に配設されるように適合されている、本体部分と、
前記本体部分に結合されたマトリックスバンドであって、前記本体部分が前記隣接空間内に配設されたとき、前記マトリックスバンドが、前記前方歯に接触するように適合されている、マトリックスバンドと、を備える、ウェッジ。
【請求項２】
前記ハンドル部分が、ハンドル軸に沿って延在し、前記本体部分が、前記ハンドル軸に対して平行な本体軸に沿って延在している、請求項１に記載のウェッジ。
【請求項３】
前記ハンドル部分が、直線状である、請求項１に記載のウェッジ。
【請求項４】
前記本体部分が、第１の表面、および前記第１の表面の反対側の第２の表面を画定し、前記本体部分が前記隣接空間内に配設されたとき、前記第１の表面が前記前方歯に面するように設けられ、前記第１の表面が湾曲しており、前記第２の表面が平坦である、請求項１に記載のウェッジ。
【請求項５】
前記本体部分が、第１の表面、および前記第１の表面の反対側の第２の表面を画定し、前記第１の表面が湾曲しており、前記第２の表面が平坦であり、前記マトリックスバンドが、前記本体部分の前記第１の表面に結合されている、請求項１に記載のウェッジ。
【請求項６】
前記本体部分が、実質的に三角形の形状を有する、請求項１に記載のウェッジ。
【請求項７】
前記マトリックスバンドが、第１および第２の接続点で前記本体部分に結合され、前記本体部分が、前記第１の接続点と前記第２の接続点との間にのみ曲面を有する、請求項１に記載のウェッジ。
【請求項８】
前記本体部分が、本体軸に沿って第１の端部から第２の端部まで延在し、前記第１の端部が、前記ハンドル部分に直ぐ隣接し、かつ第１の厚さを有し、前記第２の端部が、前記第１の厚さ未満の第２の厚さを有する、請求項１に記載のウェッジ。
【請求項９】
前方歯用の歯科修復処置に使用するためのウェッジであって、
ハンドル部分と、
前記ハンドル部分に結合され、かつ前記ハンドル部分から外側に延在する本体部分であって、前記前方歯と前記前方歯に隣接する歯との間の隣接空間内に配設されるように適合されている、本体部分と、
前記本体部分に結合されたマトリックスバンドであって、前記本体部分が前記隣接空間内に配設されたとき、前記マトリックスバンドが前記前方歯と接触するように適合され、切歯歯肉寸法および前記切歯歯肉寸法よりも小さい頬舌寸法を有する、マトリックスバンドと、を備える、ウェッジ。
【請求項１０】
前記ハンドル部分が、ハンドル軸に沿って延在し、前記本体部分が、前記ハンドル軸に対して平行な本体軸に沿って延在している、請求項９に記載のウェッジ。
【請求項１１】
前記本体部分が、第１の表面、および前記第１の表面の反対側の第２の表面を画定し、前記本体部分が前記隣接空間内に配設されたとき、前記第１の表面が前記前方歯に面するように設けられ、前記第１の表面が湾曲しており、前記第２の表面が平坦である、請求項９に記載のウェッジ。
【請求項１２】
前記本体部分が、第１の表面、および前記第１の表面の反対側の第２の表面を画定し、前記第１の表面が湾曲しており、前記第２の表面が平坦であり、前記マトリックスバンドが、前記本体部分の前記第１の表面に結合されている、請求項９に記載のウェッジ。
【請求項１３】
前記マトリックスバンドが、第１および第２の接続点で前記本体部分に結合され、前記本体部分が、前記第１の接続点と前記第２の接続点との間にのみ曲面を有する、請求項９に記載のウェッジ。
【請求項１４】
前記本体部分が、本体軸に沿って第１の端部から第２の端部まで延在し、前記第１の端部が、前記ハンドル部分に直ぐ隣接し、かつ第１の厚さを有し、前記第２の端部が、前記第１の厚さ未満の第２の厚さを有する、請求項９に記載のウェッジ。
【請求項１５】
前方歯用の歯科修復処置に使用するためのウェッジであって、
ハンドル部分と、
前記ハンドル部分に結合され、かつ前記ハンドル部分から外側に延在する本体部分であって、前記前方歯と前記前方歯に隣接する歯との間の隣接空間内に配設されるように適合されている、本体部分と、
前記本体部分に結合されたマトリックスバンドであって、前記本体部分が前記隣接空間内に配設されたとき、前記前方歯に面するように設けられた平滑な、凹状表面を有する、マトリックスバンドと、を備える、ウェッジ。
【請求項１６】
前記ハンドル部分が、ハンドル軸に沿って延在し、前記本体部分が、前記ハンドル軸に対して平行な本体軸に沿って延在している、請求項１５に記載のウェッジ。
【請求項１７】
前記本体部分が、第１の表面、および前記第１の表面の反対側の第２の表面を画定し、前記第１の表面が湾曲しており、前記第２の部分が平坦であり、前記マトリックスバンドが、前記本体部分の前記第１の表面に結合されている、請求項１５に記載のウェッジ。
【請求項１８】
前記マトリックスバンドが、第１および第２の接続点で前記本体部分に結合され、前記本体部分が、前記第１の接続点と前記第２の接続点との間にのみ曲面を有する、請求項１５に記載のウェッジ。
【請求項１９】
前記本体部分が、本体軸に沿って第１の端部から第２の端部まで延在し、前記第１の端部が、前記ハンドル部分に直ぐ隣接し、かつ第１の厚さを有し、前記第２の端部が、前記第１の厚さ未満の第２の厚さを有する、請求項１５に記載のウェッジ。
【請求項２０】
歯科修復処置のために前方歯を前処理する方法であって、
ハンドル部分と、前記ハンドル部分に結合され、かつ前記ハンドル部分から外側に延在する本体部分と、前記本体部分に結合されたマトリックスバンドと、を備えるウェッジを提供することと、
実質的に全ての前記マトリックスバンドが、前記前方歯に接触するように、前記前方歯と前記前方歯に隣接する歯との間の隣接空間に前記ウェッジを挿入することと、を含む、方法。
【発明の詳細な説明】
【技術分野】
【０００１】
［関連出願の相互参照］
本出願は、２０１６年１０月６日に出願された、表題「ＰＲＯＤＵＣＴＳ  ＦＯＲ  ＵＳＥ  ＩＮ  ＤＥＮＴＡＬ  ＲＥＳＴＯＲＡＴＩＯＮ  ＰＲＯＣＥＤＵＲＥＳ」の米国仮特許出願第６２／４０５，０９９号、２０１６年１１月２９日に出願された、表題「ＰＲＯＤＵＣＴＳ  ＦＯＲ  ＵＳＥ  ＩＮ  ＤＥＮＴＡＬ  ＲＥＳＯＲＡＴＩＯＮ  ＰＲＯＣＥＤＵＲＥＳ」の米国仮特許出願第６２／４２７，６６９号、２０１６年１２月１４日に出願された、表題「ＰＲＯＤＵＣＴＳ  ＦＯＲ  ＵＳＥ  ＩＮ  ＤＥＮＴＡＬ  ＲＥＳＯＲＡＴＩＯＮ  ＰＲＯＣＥＤＵＲＥＳ」の米国仮特許出願第６２／４３４，２２９号、および２０１７年２月２３日に出願された、表題「ＤＥＮＴＡＬ  ＷＥＤＧＥＳ  ＡＮＤ  ＭＡＴＲＩＸ  ＢＡＮＤＳ  ＦＯＲ  ＵＳＥ  ＩＮ  ＣＯＭＰＯＳＩＴＩＮＧ  ＴＥＣＨＮＩＱＵＥＳ」の米国仮特許出願第６２／４６２，７１２号の出願日の利益を主張し、これらの開示内容は、その全体が参照により本明細書に組み込まれる。
【０００２】
本開示は、歯科修復処置において使用するためのデバイスおよびシステムに関する。より具体的には、本開示は、前方歯および後方歯の修復部分において使用するための、改善された歯科用ウェッジおよびマトリックスバンド、またはこれら２つの構成要素の独自の統合に関する。
【背景技術】
【０００３】
歯科医はしばしば、ヒト患者が空洞または歯の修復を必要とする他の状態を有するときなどに、ヒト患者に歯科修復術を施す。口腔位置に関係なく、ヒト患者のいずれの歯も、虫歯または修復を必要とし得る他の状態になりやすい。ヒト患者は、切歯および犬歯を含む前方歯、ならびに小後方歯および大後方歯を含む後方歯の２種類の歯を有し、所与の患者は、その前方歯および／または後方歯のいずれかに対して修復処置が必要になり得る。
【０００４】
典型的には、修復処置は、Ｂｉｓ−ＧＭＡおよび／または他のジメタクリレートモノマー（例えば、ＴＥＧＭＡ、ＵＤＭＡ、ＨＤＤＭＡ）、充填材料、および光開始剤から成り得る、様々な種類の合成樹脂を含む、歯科用複合樹脂の使用を含む。修復処置を施すために、歯科医は、金属またはプラスチックのマトリックス、ウェッジ、および分配ガンを使用して分配され得る複合樹脂で充填された０．２〜０．３ｇの単位用量のコンピュールからなる、マトリックスシステムを含む様々な製品または器具を使用する。
【０００５】
前方歯は、後方歯のものとは異なる形状、サイズ（例えば、高さ、半径）、および輪郭を有することがよく知られている。修復を必要とする崩壊面の場所、サイズ、および形状が、前方歯と後方歯との間で異なることもまたよく知られている。歯の種類の間のこれらの違いは、それらを修復するために、２つの別々のシステムおよび方法の存在を必要とする。
【０００６】
このため、後方歯の修復を容易にするために使用される既存の製品および器具はまた、前方歯の修復を容易にするためにも使用するということができない（逆もまた同様である）。米国特許第９，１４９，３４３号（「‘３４３特許」）は、後方歯を修復するためのその設計において、特異的な器具といった例を開示する。そこに開示された器具は、湾曲したウェッジ本体と、ウェッジ本体に固定されたマトリックスと、を有する。ウェッジ本体は、ｘ軸（または長さ軸）を完全に曲げる弓形状を有し、マトリックスは、ｘ軸に沿った第１の弓形状、および（ｘ軸に対して垂直な）ｙ軸に沿った第２の弓形状を有する。このため、ウェッジ本体およびマトリックスバンドは、修復プロセス中にキャビテーションを適切に封止する様式で、修復される後方歯の半径の周りを包むように成形され、このことは同様に過剰な樹脂材料を減少させ、それによって、終了時間を短縮し、早期の修復不全を引き起こすだけでなく、歯肉炎につながる可能性もある、過剰な樹脂材料に関連付けられたマイナスの結果（例えば、汚れ、過剰なプラークの蓄積）を防止する。しかしながら、この後方歯用器具は、後方歯の修復を容易にすることに対して非常に適している一方で、この器具は、前方歯の十分な修復を容易にするために使用することはできない。器具の全体的に弓形状のｘ軸のために、ウェッジ本体およびマトリックスは、後方歯よりもより狭く、凸状の輪郭が少なく、小さい半径を有する、（修復される）前方歯に対して適切に位置決めされない。加えて、ウェッジに固定された金属マトリックスバンドの形状、サイズ、および輪郭は、前部領域における有効な修復を形成することに適さない。これは、前方歯と後方歯との間の接触点が異なって成形されることに起因する。後方歯は、ｘ軸において長い部分、およびｙ軸においてより短い部分を有し、楕円形に似た形状で互いに接触する。口腔内で異なる形状および配向を有する前方歯は、楕円形に似ているが、後方歯に対して垂直である接点を有し、長い部分はｙ軸にあり、短い部分はｘ軸にある。
【先行技術文献】
【特許文献】
【０００７】
【特許文献１】米国特許第９，１４９，３４３号
【発明の概要】
【発明が解決しようとする課題】
【０００８】
このように、この後方歯に焦点を合わせたシステムからのウェッジ本体およびマトリックスは、修復される前方歯とそれに隣接する歯との間に必要な接触点を作製することはなく、代わりに上記のマイナスの結果に関連する過剰な樹脂材料を生成するだけであり、ケアの標準の範囲内に入る修復にするために過度な量の仕上げおよび調整が必要となる。
【０００９】
さらに、患者は、概して、より後方歯への修復を必要とする傾向があるので、修復処置において使用される既存の製品および器具は、概して、後方歯の修復を容易にするように設計および装備される。加えて、前方歯および後方歯の両方に対して、修復処置に使用されるいくつかの既存の製品は、欠点を有する。さらに、既存の後方歯マトリックスシステムの設計は、欠点を有する。
【００１０】
したがって、後方歯および前方歯の両方への修復処置により優れた設計で、かつさらに適した歯科用ウェッジおよびマトリックスバンドを含む、先進的な製品および器具に対する可能性がある。
【課題を解決するための手段】
【００１１】
本発明の第１の例示的な態様に従って、ウェッジが、前方歯の歯科修復処置において提供される。ウェッジは、ハンドル部分と、ハンドル部分に結合され、かつハンドル部分から外側に延在する本体部分と、本体部分に結合されたマトリックスバンドと、を含む。本体部分は、前方歯と前方歯に隣接する歯との間の隣接空間内に配設されるように適合されている。本体部分が隣接空間内に配置されたとき、マトリックスバンドは、前方歯に接触するように適合されている。
【００１２】
本発明の第２の例示的な態様に従って、ウェッジが、前方歯の歯科修復処置において提供される。ウェッジは、ハンドル部分と、ハンドル部分に結合され、かつハンドル部分から外側に延在する本体部分と、本体部分に結合されたマトリックスバンドと、を含む。本体部分は、前方歯と前方歯に隣接する歯との間の隣接空間内に配設されるように適合されている。本体部分が隣接空間内に配設されるとき、マトリックスバンドは、前方歯に接触するように適合されている。マトリックスバンドは、切歯歯肉寸法と、切歯歯肉寸法よりも小さい頬舌寸法と、を有する。
【００１３】
本発明の第３の例示的な態様に従って、ウェッジが、前方歯の歯科修復処置において提供される。ウェッジは、ハンドル部分と、ハンドル部分に結合され、かつハンドル部分から外側に延在する本体部分と、本体部分に結合されたマトリックスバンドと、を含む。本体部分は、前方歯と前方歯に隣接する歯との間の隣接空間内に配設されるように適合されている。本体部分が隣接空間内に配設されたとき、マトリックスバンドは、前方歯に接触するように適合されている。マトリックスバンドは、本体部分が隣接空間内に配設されるとき、前方歯に面するように設けられた平滑な凹状表面を有する。
【００１４】
本発明の第４の例示的な態様に従って、歯科修復処置のために前方歯を前処理する方法が、提供される。本方法は、ハンドル部分と、ハンドル部分に結合され、かつハンドル部分から外側に延在する本体部分と、本体部分に結合されたマトリックスバンドと、を含む、ウェッジを提供することを含む。本方法はまた、実質的に全てのマトリックスバンドが前方歯に接触するように、前方歯と前方歯に隣接する歯との間の隣接空間にウェッジを挿入することを含む。
【００１５】
さらに前述の第１、第２、第３、および／または第４の態様に従って、ウェッジおよび／または方法は、以下の好ましい形態の任意の１つ以上をさらに含み得る。
【００１６】
好ましい一形態に従って、ハンドル部分は、ハンドル軸に沿って延在し、本体部分は、ハンドル軸に対して平行な本体軸に沿って延在する。
【００１７】
他の好ましい形態に従って、ハンドル部分は、直線状である。
【００１８】
別の好ましい形態に従って、本体部分は、第１の曲面と、第１の曲面の反対側の第２の平坦面と、を画定する。本体部分が隣接空間内に配設されるとき、第１の表面は、前方歯に面するように設けられる。
【００１９】
別の好ましい形態に従って、本体部分は、第１の曲面と、第１の曲面の反対側の第２の平坦面と、を画定する。マトリックスバンドは、本体部分の第１の表面に結合される。
【００２０】
他の好ましい形態に従って、本体部分は、実質的に三角形の形状を有する。
【００２１】
別の好ましい形態に従って、マトリックスバンドは、第１および第２の接続点で本体部分に結合され、本体部分は、第１の接続点と第２の接続点との間にのみ曲面を有する。
【００２２】
別の好ましい形態に従って、本体部分は、本体軸に沿って第１の端部から第２の端部まで延在し、第１の端部は、ハンドル部分に直ぐ隣接し、かつ第１の厚さを有し、第２の端部は、第１の厚さ未満の第２の厚さを有する。
【図面の簡単な説明】
【００２３】
【図１Ａ】歯科修復処置において使用することができる例示的なコンピュールの斜視図を図示する。
【図１Ｂ】図１Ａのコンピュールの上面図である。
【図１Ｃ】図１Ａのコンピュールの断面図である。
【図１Ｄ】図１Ａのコンピュールの一区分の詳細図である。
【図１Ｅ】図１Ａのコンピュールの側面図である。
【図１Ｆ】図１Ａのコンピュールの断面図である。
【図１Ｇ】図１Ａのコンピュールの側面図である。
【００２４】
【図２Ａ】歯科修復処置において使用することができる例示的なコンピュールの斜視図を図示する。
【図２Ｂ】図２Ａのコンピュールの上面図である。
【図２Ｃ】図２Ａのコンピュールの断面図である。
【図２Ｄ】図２Ａのコンピュールの側面図である。
【００２５】
【図３Ａ】歯科修復処置において使用することができる例示的なコンピュールの斜視図を図示する。
【図３Ｂ】図３Ａのコンピュールの上面図である。
【図３Ｃ】図３Ａのコンピュールの断面図である。
【図３Ｄ】図３Ａのコンピュールの側面図である。
【図３Ｅ】図３Ａのコンピュールの一区分の詳細図である。
【００２６】
【図４Ａ】前方歯のための歯科修復処置において使用することができる一例示的なウェッジの斜視図を図示する。
【図４Ｂ】図４Ａのウェッジの正面図である。
【図４Ｃ】図４Ａのウェッジの上面図である。
【図４Ｄ】図４Ａのウェッジの端面図である。
【図４Ｅ】図４Ａのウェッジの本体部分およびハンドル部分の斜視図である。
【図４Ｆ】図４Ｅの正面図である。
【図４Ｇ】図４Ｅの上面図である。
【図４Ｈ】図４Ｅの端面図である。
【図４Ｉ】図４Ａのウェッジのマトリックスバンドの正面図である。
【図４Ｊ】図４Ｉの線Ｊ−Ｊに沿って切り取られた断面図である。
【図４Ｋ】図４Ｉの上面図である。
【図４Ｌ】修復される前方歯と隣接する前方歯との間の隣接空間内に位置決めされた、図４Ａのウェッジを例解する。
【図４Ｍ】図４Ａのウェッジが修復される前方歯と隣接する前方歯との間に位置決めされ、それによって歯科修復処置が、前方歯と隣接する前方歯の両方に対して同時に実行されることを可能にしながら、隣接する前方歯に接触する隣接空間内に位置決めすることができる付加的なマトリックスバンドを例解する。
【００２７】
【図５Ａ】前方歯のための歯科修復処置において使用することができる別の例示的なウェッジの斜視図を図示する。
【図５Ｂ】図５Ａのウェッジの上面図である。
【図５Ｃ】図５Ａのウェッジの正面図である。
【００２８】
【図６Ａ】後方歯のための歯科修復処置において使用することができる一例示的なウェッジの斜視図を図示する。
【図６Ｂ】図６Ａのウェッジの上面図である。
【図６Ｃ】図６Ａのウェッジの正面図である。
【図６Ｄ】図６Ａのウェッジの底面図である。
【図６Ｅ】図６Ａのウェッジの端面図である。
【図６Ｆ】図６Ａのウェッジの本体部分およびハンドル部分の斜視図である。
【図６Ｇ】図６Ｆの上面図である。
【図６Ｈ】図６Ｆの正面図である。
【図６Ｉ】図６Ｆの端面図である。
【図６Ｊ】図６Ａのウェッジのマトリックスバンドの斜視図である。
【図６Ｋ】図６Ｊのマトリックスバンドの正面図である。
【図６Ｌ】図６Ｊのマトリックスバンドの側面図である。
【図６Ｍ】図６Ｊのマトリックスバンドの上面図である。
【図６Ｎ】後方歯のための歯科修復処置において、図６Ａのウェッジと組み合わせて使用することができる一例示的なウェッジの斜視図を図示する。
【図６Ｏ】図６Ｎのウェッジの正面図である。
【図６Ｐ】図６Ｎのウェッジの上面図である。
【図６Ｑ】図６Ｎのウェッジの端面図である。
【図６Ｒ】修復されるべき後方歯と隣接する後方歯との間の隣接空間内に位置決めされた、図６Ａのウェッジおよび図６Ｎのウェッジを示す上面図である。
【図６Ｓ】図６Ｒの側面図である。
【発明を実施するための形態】
【００２９】
本開示は、歯科修復処置において使用され得る改善されたコンピュール、ウェッジ、マトリックスバンド、およびウェッジシステムを提供する。
【００３０】
図１Ａ〜図１Ｇ、図２Ａ〜図２Ｄ、および図３Ａ〜図３Ｅは、異なる形状およびサイズを有する例示的なコンピュールの様々な設計の様々な図を図示し、コンピュールは、前方歯および後方歯への修復処置において使用され得る。概して、コンピュールは、１つの固体ユニットまたは複数の接続部分であり得る。コンピュールは、様々な金属またはプラスチック材料、あるいはそれらの組み合わせから成り得る。加えて、コンピュールは、任意のハイブリッドまたはナノ複合材料等の、歯科修復処置において使用される複合材料を受容し、かつ保持するように構成されてもよい。本明細書に記載されるようなコンピュールの寸法に関する値およびパラメータは、単なる例であり、代替的な寸法およびパラメータ、または寸法およびパラメータの範囲が想定されるということが理解されるはずである。
【００３１】
図１Ａ〜１Ｇは、分割されたノズルを有するコンピュール１０１の様々な図を図示する。図１Ａは、コンピュール１０１の斜視図を図示し、コンピュール１０１は、主本体部分１０３から異なる角度で延在する２つの（２）別個の区分を含む、角度付き端部またはアームを含み得る。概して、二次本体部分１０４は、主本体部分１０３から第１の角度で延在し得、三次本体部分１０５は、主本体部分１０３に対して第２の角度で二次本体部分１０４から延在し得る。
【００３２】
図１Ｂは、コンピュール１０１の上面図を図示し、図１Ｂは、図１Ｃに例解されたコンピュール１０１の断面図に対応する切断線「Ａ」を図示する。図１Ｃに例解されるように、コンピュール１０１の主本体部分１０３は、開口部１０８から二次本体部分１０４が主本体部分１０３に接続する場所の周囲までを通って延在する、主空洞部１０６を含み得る。主空洞部１０６は、二次本体部分１０４および三次本体部分１０５を通って延在する二次空洞部１０７に接続し得、二次空洞部１０７は、主空洞部１０６から開口部１０９または三次本体部分１０５の先端部を通って延在し得る。使用時、複合材料は、開口部１０８に装填することができ、ここで空洞部１０６、１０７は、複合材料が開口部１０９を通ってコンピュール１０１から出ることができるように、コンピュール１０１を通って複合材料を方向付けてもよい。
【００３３】
図１Ｃは、図１Ｄに例解されたコンピュール１０１の先端部１０２および開口部１０９の図に対応する切断線「Ｃ」を図示する。開口部１０９は、円形状または楕円形状であってもよく、様々な値：「ｃ」直径および「ｄ」直径を有する２つの寸法を有し得る。いくつかの実施形態に従って、「ｃ」直径は、０．６０〜１．４０ｍｍの範囲の値を有し得、「ｄ」直径は、０．８５〜１．６５ｍｍの範囲の値を有してもよい。
【００３４】
図１Ｅは、コンピュール１０１の側面図を例解し、主本体部分１０３および三次本体部分１０５は、その間に角度「ａ」を有し得る。一実施形態において、角度「ａ」は、約１１０度であり得るが、代替的な角度も、想定される（例えば、９０度〜１３０度の間の任意の角度）。
【００３５】
図１Ｆは、コンピュール１０１および空洞部１０６、１０７の断面図を例解し、空洞部１０６は、幅寸法「ｆ」を有し得、空洞部１０７は、幅寸法「ｅ」を有し得る。一実施形態において、幅寸法「ｆ」は、約４．０ｍｍであり得る、しかしながら、代替的な寸法（例えば、３．０〜５．０ｍｍの間の任意の寸法）も想定される、および幅寸法「ｅ」は、約１．０ｍｍであり得る、しかしながら代替的な寸法（例えば０．５〜２．０ｍｍの間の任意の寸法）も想定される。
【００３６】
図１Ｇは、コンピュール１０１の側面図を図示する。図１Ｇに例解されるように、コンピュール１０１およびその本体部分１０３、１０４、１０５は、様々な値を有する寸法「ｇ」、「ｈ」、「ｉ」、「ｊ」、「ｋ」、「ｍ」、「ｎ」、「ｐ」、および「ｑ」を有してもよい。特に、寸法「ｇ」は、１７．０〜２１．０ｍｍの範囲となり得、寸法「ｈ」は、５．５〜７．５ｍｍの範囲となり得、寸法「ｉ」は、１０．５〜１２．５ｍｍの範囲となり得、寸法「ｊ」は、８．５〜１０．５ｍｍの範囲となり得、寸法「ｋ」は、１４５〜１７５度の範囲となり得、寸法「ｍ」は、１４５〜１７５度の範囲となり得、寸法「ｎ」は、３．０〜５．０ｍｍの範囲となり得、寸法「ｐ」は、２２．０〜２６．０ｍｍの範囲となり得、および寸法「ｑ」は、１１０〜１４０度の範囲となり得る。
【００３７】
図２Ａ〜図２Ｄは、分割されたノズルを有する、別のコンピュール２０１の様々な図を図示する。図２Ａは、コンピュール２０１の斜視図を図示し、コンピュール２０１は、主本体部分２０３から異なる角度で延在する２つの（２）別個の区分を含む、角度付き端部またはアームを含み得る。概して、二次本体部分２０４は、本体部分２０３から第１の角度で延在し得、三次本体部分２０５は、本体部分２０３に対して第２の角度で二次本体部分２０４から延在し得る。
【００３８】
図２Ｂは、コンピュール２０１の上面図を図示し、図２Ｂは、図２Ｃに例解されたコンピュール２０１の断面図に対応する切断線「Ａ」を図示する。図２Ｃに例解されるように、コンピュール２０１の主本体部分２０３は、開口部２０８から二次本体部分２０４が主本体部分２０３に接続する場所の周囲までを通って延在する、主空洞部２０６を含み得る。主空洞部２０６は、二次本体部分２０４および三次本体部分２０５を通って延在する二次空洞部２０７に接続し得、二次空洞部２０７は、主空洞部２０６から開口部２０９または三次本体部分２０５の先端部を通って延在し得る。使用時、複合材料は、開口部２０８に装填することができ、ここで空洞部２０６、２０７は、複合材料が開口部２０９を通ってコンピュール２０１から出ることができるように、コンピュール２０１を通って複合材料を方向付けてもよい。
【００３９】
開口部２０９は、円形状であってもよく、二次空洞部２０７の幅に対応する直径「ａ」を有してもよい。実施形態に従って、直径「ａ」は、０．７５〜１．７５ｍｍの範囲となり得る。同様に、主空洞部２０６は、３．０〜５．０ｍｍの範囲となり得る、幅「ｂ」を有してもよい。実施形態において、開口部２０９は、楕円形状であり得、その場合、開口部２０９は、２つの異なる直径寸法を有し得る。例えば、第１の直径寸法は、０．７５〜１．７５ｍｍの範囲となり得、第２の直径寸法は、０．５０〜１．５０ｍｍの範囲となり得る。
【００４０】
図２Ｄは、コンピュール２０１の側面図を図示する。図２Ｄに例解されるように、コンピュール２０１およびその本体部分２０３、２０４、２０５は、様々な値を有する寸法「ｃ」および「ｄ」を有してもよい。特に、寸法「ｃ」は、１０．０〜１３．０ｍｍの範囲となり得、寸法「ｄ」は、２２．０〜２６．０ｍｍの範囲となり得る。
【００４１】
図３Ａ〜図３Ｅは、分割されたノズルを有するコンピュール３０１の様々な図を図示する。図３Ａは、コンピュール３０１の斜視図を図示し、コンピュール３０１は、本体部分３０３からある角度で延在する二次本体部分３０４を含み得る。
【００４２】
図３Ｂは、コンピュール３０１の上面図を図示し、図３Ｂは、図３Ｃに例解されたコンピュール３０１の断面図に対応する切断線「Ａ」を図示する。図３Ｃに例解されるように、コンピュール３０１の主本体部分３０３は、開口部３０８から二次本体部分３０４が主本体部分３０３に接続する場所の周囲までを通って延在する、主空洞部３０６を含み得る。主空洞部３０６は、二次本体部分３０４を通って延在する二次空洞部３０７に接続し得、二次空洞部３０７は、主空洞部３０６から開口部３０９または二次本体部分３０４の先端部を通って延在し得る。使用時、複合材料は、開口部３０８に装填することができ、ここで空洞部３０６、３０７は、複合材料が開口部３０９を通ってコンピュール３０１から出ることができるように、コンピュール３０１を通って複合材料を方向付けてもよい。
【００４３】
図３Ｃは、空洞部３０７の幅寸法「ａ」、および空洞部３０６の幅寸法「ｂ」をさらに示す。一実施形態において、幅寸法「ｂ」は、約４．０ｍｍであり得る、しかしながら、代替的な寸法（例えば、３．０〜５．０ｍｍの間の任意の寸法）も想定される、および幅寸法「ａ」は、約１．０ｍｍであり得る、しかしながら代替的な寸法（例えば０．５〜２．０ｍｍの間の任意の寸法）も想定される。
【００４４】
図３Ｄは、コンピュール３０１の側面図を図示する。図３Ｄに例解されるように、コンピュール３０１およびその本体部分３０３、３０４は、様々な値を有する寸法「ｃ」、「ｄ」、「ｅ」、「ｆ」、「ｇ」、「ｈ」、「ｉ」、「ｊ」、および「ｋ」を有してもよい。特に、寸法「ｃ」は、２．０〜４．０ｍｍの範囲となり得、寸法「ｄ」は、１９．０〜２３．０ｍｍの範囲となり得、寸法「ｅ」は、９．５〜１３．５ｍｍの範囲となり得、寸法「ｆ」は、０．７５〜２．０ｍｍの範囲となり得、寸法「ｇ」は、１．５〜２．５ｍｍの範囲となり得、寸法「ｈ」は、二次本体部分３０４に関連付けられた角度であり得、５〜２０度の範囲となり得、寸法「ｉ」は、主本体部分３０３と二次本体部分３０４との間の角度であり得、９５〜１２０度の範囲となり得、寸法「ｊ」は、４．５〜７．５ｍｍの範囲となり得、寸法「ｋ」は、６．０〜１０．０ｍｍの範囲となり得る。
【００４５】
図３Ｅは、コンピュール３０１の先端部３０２および開口部３０９の図を図示する。開口部３０９は、円形状または楕円形状であってもよく、様々な値：「ｍ」直径および「ｎ」直径を有する２つの寸法を有し得る。いくつかの実施形態に従って、「ｍ」直径は、１．０〜２．０ｍｍの範囲の値を有し得、「ｎ」直径は、０．７５〜１．５ｍｍの範囲の値を有してもよい。
【００４６】
図４Ａ〜４Ｋは、前方歯のための歯科修復処置において使用するために特別に設計されたウェッジ４００の一実施例を図示する。より具体的には、ウェッジ４００は、修復される前方歯と前方歯に隣接する歯との間の隣接空間内に配設されるように適合されている（隣接する歯もまた前方歯であり得る）。ウェッジ４００は、概して、ハンドル部分４０２と、ハンドル部分４０２に結合され（例えば、一体的に形成され）かつハンドル部分４０２から外側に延在する本体部分４０４と、本体部分４０４に結合されたマトリックスバンド４０６と、を含む。以下により詳細に説明されるように、ウェッジ４００が隣接空間内に配設されるとき、本体部分４０４およびマトリックスバンド４０６は、隣接する歯に実質的に接近しながら、前方歯の空洞部を封止する様式で、修復される前方歯に緊密に接触する。このため、本体部分４０４およびマトリックスバンド４０６は、過剰な材料を防止とはいかないまでも、低減させ、それによって仕上げ時間を短縮し、歯科修復処置の失敗率を低減させるだけでなく、所望される前方歯と隣接する歯との間の接点の形成もまた容易にする。
【００４７】
ハンドル部分４０２は、概して、ウェッジ４００を隣接空間内に位置決めする、または隣接空間からウェッジ４００を取り外す目的で、歯科医がウェッジ４００を握ることを可能にする。ハンドル部分４０２は、図４Ａ〜図４Ｆに例解された形状を有してもよく、または他の任意の適切な形状を有してもよい。ハンドル部分４０２は、ハンドル軸４１２に沿って第１の端部４０８から第２の端部４１０まで延在する。換言すると、ハンドル部分４０２は、第１の端部４０８と第２の端部４１０との間に画定された長さＬｈを有する。この実施例において、長さＬｈは、約３．５ｍｍに等しい。しかしながら、他の実施例において、長さＬｈは、３．５ｍｍより大きく、または３．５ｍｍ未満の可能性がある。ハンドル部分４０２はまた、上面４１４と下面４１６との間に画定される（すなわち、ハンドル軸４１２に対して垂直な）高さＨｈを有する。この実施例において、高さＨｈは、約２ｍｍに等しいが、他の実施例において、高さＨｈは、２ｍｍより大きく、または２ｍｍ未満となる可能性がある。
【００４８】
本体部分４０４は、概して、前方歯と隣接する歯との間の隣接空間を実質的に充填し、かつマトリックスバンド４０６を所望の位置に位置決めするように構成される。図４Ｇに最も良く例解されるように、この実施例における本体部分４０４は、ハンドル部分４０２に直ぐ隣接して位置決めされた第１の端部４２０から、ハンドル部分４０２から離れ、ハンドル軸４１２に対して平行かつ同軸である体軸４２３に沿って第２の端部４２２まで延在する。換言すると、本体部分４０４は、直線状（または実質的に直線状）である。図４Ｅ〜４Ｆに最も良く例解されるように、この実施例における本体部分４０４は、実質的に三角形の前面４２４、前面４２４の反対側の実質的に三角形の後面４２６、ならびに前面４２４および後面４２６に接続する実質的に三角形の底面４２７によって画定された実質的に三角形の形状を有する。本体部分４０４が隣接空間内に配設されるとき、部分的に湾曲し部分的に平坦である前面４２４は、修復される前方歯に面するはずであり、実質的に平坦である後面４２６は、隣接する歯に面するはずであるということが理解されるであろう。
【００４９】
本体部分４０４はまた、その上にマトリックスバンド４０６を確実に保持する第１および第２の締結要素４２８Ａ、４２８Ｂを含む。この実施例において、締結要素４２８Ａ、４２８Ｂの各々は、前面４２４から外側に延在する円形突出部の形態をとる。しかしながら、他の実施例において、本体部分４０４は、１つの締結要素のみを含んでもよく、３つ以上の締結要素を含んでもよく、または全く含んでいなくてもよい（例えば、本体部分４０４は、マトリックスバンド４０６を本体部分４０４に固定するために１つ以上の締結具を受容するようにサイズ決定された１つ以上の開口を代わりに含んでもよい）。
【００５０】
図４Ｆに最も良く例解されるように、本体部分４０４は、第１の端部４２０と第２の端部４２２との間で、かつ本体軸４２３に沿って、画定された長さＬｂを有する。この実施例において、長さＬｂは、約８．５ｍｍに等しく、そのためウェッジ４００の全長Ｌｗは、約１２ｍｍに等しい。しかしながら、他の実施例において、長さＬｂは、８．５ｍｍより大きくまたは８．５ｍｍ未満となる可能性があり、ウェッジ４００の全長Ｌｗは、約１２ｍｍより大きくまたは１２ｍｍ未満となる可能性がある（例えば、全長Ｌｗは、８ｍｍ〜１４ｍｍの範囲内となる可能性がある）。いずれにせよ、本体部分４０４は、本体部分４０４が第１の端部４２０から第２の端部４２２まで延在するにつれて、減少し、わずかに増加し、その後さらに減少する、前面４２４と後面４２６との間の距離として、本明細書で画定された厚さを有する。この実施例において、第１の端部４２０における厚さＴｆｅは、約１．２５ｍｍに等しく、第１の締結要素４２８Ａにおける厚さＴｆｆｅは、約１．２５ｍｍに等しく、第１の締結要素４２８Ａと第２の締結要素４２８Ｂとの間に位置する点４３２における厚さＴｐは、約１．０１ｍｍに等しく、第２の締結要素４２８Ｂにおける厚さＴｓｆｅは、約０．８４ｍｍに等しい。しかしながら、他の実施例において、これらの厚さの値は、変化し得る。一実施例として、厚さＴｆｅは、約１．２５ｍｍより大きいが、約２．５ｍｍ未満であり得る。本体部分４０４はまた、本体部分４０４が第１の端部４２０から第２の端部４２２に延在するにつれて減少または先細になる高さを有し、そのため本体部分４０４の底部が、水平に対して角度を付けられ（図４Ｆ参照）、これはウェッジ４００を隣接空間内に位置決めするのに役立ち得る。この実施例において、第１の端部４２０における高さＨｆｅは、約２ｍｍに等しく、第１の端部４２０と第１の締結要素４２８Ａとの間の第１の点４３６における高さＨｐ１は、約１．７９ｍｍに等しく、第１の要素４２８Ａと第２の要素４２８Ｂとの間の第２の点４３８における高さＨｐ２は、約１．５５ｍｍに等しく、第１の要素４２８Ａと第２の要素４２８Ｂとの間の第３の点４４０における高さＨｐ３は、約１．１７ｍｍに等しく、第２の端部４２２における高さＨｓｅは、約０．７０ｍｍに等しい。しかしながら、他の実施例において、これらの高さの値は、変化し得る。一実施例として、高さＨｐ１は、約１．２５ｍｍより大きく、３．０ｍｍ未満の任意の値であり得、高さＨｐ３は、約０．７５ｍｍより大きく、約２．０ｍｍ未満の任意の値であり得る。
【００５１】
前述の結果として、本体部分４０４は、局部的曲線を有する、または画定する。別の言い方をすると、本体部分４０４の一部のみが、湾曲しており、本体部分４０４の残りの部分は、平坦である。この実施例において、局部的曲線は、第１の締結要素４２８Ａと第２の締結要素４２８Ｂとの間に画定され、その結果、湾曲した本体部分４０４の一部のみが、第１の締結要素４２８Ａと第２の締結要素４２８Ｂとの間に位置する。しかしながら、他の実施例において、局部的曲線は、本体部分４０４に沿った異なる点の間に画定することができる。
【００５２】
図４Ｉ〜図４Ｊに例解されるように、マトリックスバンド４０６は、前面４４２、前面４４２の反対側の後面４４４、および前面４４２と後面４４４との間の厚さＴｍによって画定される、薄い外形を有する。ウェッジ４００が使用されるとき、前面４４２は、修復される前方歯に面する（そして係合する）ように設けられ、一方で後面４４４は、修復される前方歯に隣接する歯に面するように設けられる。また図４Ｉ〜図４Ｊに例解されるように、マトリックスバンド４０６は、概して、高さ軸４５４に沿って第１の端部４５０から第２の端部４５２まで延在し、概して、長さ軸４６０に沿って第１の側面４５６から第２の側面４５８まで延在する。図４Ｊに最も良く例解されるように、マトリックスバンド４０６は、高さ軸４５４に沿って、およびそれから離れて、わずかに、緩やかかつ平滑な凹状の湾曲を有する。図４Ｋに最も良く例解されるように、マトリックスバンド４０６は、長さ軸４６０に沿って、わずかに、緩やかかつ平滑な凹状の湾曲を有する。この実施例において、マトリックスバンド４０６は、２１ｍｍの曲率半径を有し得るが、他の実施例において、曲率半径は、１７ｍｍ〜２５ｍｍの範囲内の任意の値であり得る。このため、第１の側面４５６と第２の側面４５８との間のマトリックスバンド４０６の部分は、長さ軸４６０からわずかにオフセットすることが理解されるはずである。
【００５３】
マトリックスバンド４０６は、基部４６２と、基部４６２に結合され（例えば、一体的に形成され）、基部４６２から外側に（図４Ｉにおいて、上方）に延在するアーム４６４と、を有する。基部４６２は、第１の端部４５０と、基部４６２をアーム４６４に接続する肩部４６６と、第１の端部４５０および肩部４５８を接続する第１の側面４５６ならびに第２の側面４５８と、によって画定される実質的に長方形の形状を有する。このため、基部４６２は、第１の端部４５０と肩部４６６との間に画定される高さＨｍｂ、および第１の側面４５６と第２の側面４５８との間に画定される長さＬｍｂを有する。アーム４６４はまた、第２の端部４５２、肩部４６６、ならびに第１の側面４５６および第２の側面４５８によって画定された実質的に長方形の形状を有する。このため、アーム４６４は、第２の端部４５２と肩部４６６との間に画定される高さＨｍａ、および第１の側面４５６と第２の側面４５８との間に画定される長さＬｍａを有する。図４Ｉに最も良く例解されるように、基部４６２の長さＬｍｂが、アーム４６４の長さＬｍａよりも大きいので、基部４６２の長さＬｍｂは、マトリックスバンド４０６自体の長さＬｍを画定する。一方で、マトリックスバンド４０６の高さＨｍは、基部４６２の高さＨｍｂとアーム４６４の高さＨｍａとの和によって画定される。
【００５４】
マトリックスバンド４０６の高さＨｍが、マトリックスバンド４０６の長さＬｍより大きいことが図４Ｉから理解されるはずである。換言すると、マトリックスバンド４０６は、切歯歯肉寸法と、切歯歯肉寸法よりも小さい頬舌寸法と、を有する。マトリックスバンド４０６の高さＨｍは、好ましくは、約７ｍｍ〜約１２ｍｍの間の範囲内であり、一方で、マトリックスバンド４０６の長さＬｍは、好ましくは、約３．５ｍｍ〜約５．５ｍｍの間の範囲内である。このため、いくつかの実施例において、マトリックスバンド４０６の高さＨｍは、マトリックスバンドの長さＬｍの少なくとも２倍の大きさであり得る。この実施例において、マトリックスバンド４０６の高さＨｍは、９．５ｍｍであり、マトリックスバンド４０６の長さＬｍは、５ｍｍである（アーム４６４の長さＬｍａは、４ｍｍである）。マトリックスバンド４０６の厚さＴｍは、マトリックスバンド４０６の高さＨｍおよび長さＬｍよりかなり小さいこともまた、図４Ｉおよび図４Ｊから理解されるであろう。この実施例において、厚さＴｍは、０．０５ｍｍに等しいが、厚さＴｍは、約０．０２５ｍｍ〜約０．０５ｍｍの間で変化する可能性がある。
【００５５】
本体部分４０４およびマトリックスバンド４０６がそのように寸法決めされた状態で、本体部分４０４は、マトリックスバンド４０６と係合し、保持し、そして支持するように構成される。より具体的には、本体部分４０４の局部的な湾曲は、マトリックスバンド４０６が一致する湾曲を維持することを可能にする。本体部分４０４とマトリックスバンド４０６の両方の局部的な湾曲は、隣接空間に挿入されたとき、ウェッジ４００が、修復される前方歯の凸状表面と係合することをさらに可能にする。マトリックスバンド４０６は、マトリックスバンド４０６の後面４４４が、本体部分４０４の前面４２４に面し、かつ少なくとも部分的に接触するように本体部分４０４に結合される。この実施例において、マトリックスバンド４０６は、第１の締結要素４２８Ａおよび第２の締結要素４２８Ｂを介して本体部分４０４に結合され、これらは、マトリックスバンド４０６の後面４４４内に形成された第１および第２の類似形状の開口４７２、４７４に、それぞれ受容される。この実施例において、開口４７２と４７４間の距離は、マトリックスバンド４０６のアーム４６４の長さにほぼ等しいが、そうである必要はない。締結要素４２８Ａ、４２８Ｂは、任意の既知の様式でその中に固定され得る。他の実施例において、マトリックスバンド４０６は、１つの締結要素、３つ以上の締結要素を介して、または他のいくつかの様式で、本体部分４０４に結合されてもよい。いずれにせよ、図４Ａ〜図４Ｄに示されるように、マトリックスバンド４０６が本体部分４０４に結合されるとき、高さ軸４５４は、本体軸４２３に対して角度が付けられる。一実施例として、高さ軸４５４は、本体軸４２３に対して７５度〜９０度の間の角度に配向され得る。
【００５６】
このように構築されて、ウェッジ４００は、前方歯のための歯科修復処置（例えば、充填）において使用するために特別に設計される。このような歯科修復処置を実行することが所望されるとき、図４Ｌに例解されるように、ウェッジ４００は、修復される前方歯４８２と修復される前方歯４８２に隣接する前方歯４８４との間の隣接空間４８０内に配設される。各歯が、頬舌幅Ｗｔおよび幅Ｗｔよりも大きい臨床歯冠の高さＨｔを有しているため、歯４８２、４８４は、前方歯である。ウェッジ４００は、本体部分４０４の前面４２４およびマトリックスバンド４０６の前面４４２が、修復プロセス中に充填剤を受容するように適合された空洞４８６を有する、修復される前方歯４８２に面するように、隣接空間４８０内に配設される。一方で、本体部分４０４の後面４２６およびマトリックスバンド４０６の後面４４４は、隣接する前方歯４８４に面する。
【００５７】
ウェッジ４００が、隣接空間４８０内にそのように配設されるとき、図４Ｌに例解されるように、本体部分４０４は、隣接空間４８０を実質的に充填し、マトリックスバンド４０６は、前方歯４８２に接触する。より具体的には、マトリックスバンド４０６の前面４４２は、前方歯４８２と接触し、マトリックスバンド４０６の実質的に全ての前面４４２が、前方歯４８２と接触する。有益には、マトリックスバンド４０６が凹状の湾曲を有し、そして充填されるべき空洞４８６が凸状であるので、マトリックスバンド４０６の前面４４２は、修復されるべき前方歯４８２と同一面上でしっかりと噛み合う。マトリックスバンド４０６の湾曲はまた、輪郭を修復される前方歯の自然な輪郭に近接して一致させるかまたは接近させることによって、修復の輪郭を適切に成形する。さらに、マトリックスバンド４０６の湾曲は、マトリックスバンド４０６が前方歯４８２の空洞４８６を封止することを可能にし、歯科医が、過剰な材料を、防止とはいかないまでも、低減させながら、空洞４８６を充填することを可能にし、またウェッジ４００を隣接空間４８０内に固定させ、これによって前方歯４８２が修復されている間、ウェッジ４００がこの位置から移動することを防止する。同時に、ウェッジ４００は、その実質的に直線の形状により、隣接空間４８０を通って線形に延在し、そのためウェッジは、歯科医が、既知の製品および器具の場合のように、空洞４８６にアクセスするのを制限するような様式で、修復される前方歯４８２の周りを覆うことはないであろう。代わりに、歯科医は、修復プロセスの間に、空洞４８６への実質的に３６０度のアクセスを有するであろう。
【００５８】
ウェッジ４００によって提供されるこれらの技術的利益は、既存の製品および機器のいずれか、例えば’３４３特許内で開示された機器、を使用しても到達可能ではない。第一に、’３４３特許内で開示される器具は、前方歯上のこの密接した歯とマトリックスバンドの関係を可能にしないであろう。これは、そこに開示された器具の弓形状が、本体部分４０４およびマトリックスバンド４０６の局部的な湾曲よりもはるかに大きい半径を有するという事実に起因する。’３４３特許の器具のより大きい半径は、より大きい半径を有する後方歯によく適している、一方で本体部分４０４およびマトリックスバンド４０６のより小さい半径は、ウェッジ４００を前方歯のより小さい半径によく適したものにする。加えて、’３４３特許において、マトリックスバンドは、その高さよりも大きい直径を有し、長い弓状のｘ軸に取り付けられ、および椀形状であるので、マトリックスバンドは、前方歯の修復にはあまり適していない。さらに、’３４３特許内で開示された器具は、前方歯領域内の隣接空間内に設置された場合、ウェッジ本体の弓形状のｘ軸のため、３６０度アクセスを可能にすることがなく、かつ金属バンドが、歯科医の作業フィールドの視界、ならびに、彼／彼女の空洞４８６にアクセスする能力に著しく影響するであろう。
【００５９】
ウェッジ４００の予想外の利点は、ウェッジ４００が、マトリックスバンド４０６と実質的に同様または同一のマトリックスバンド４９０と接続して利用されて、例えば、図４Ｍに例解されるように、歯科医が、両方が修復される必要のある、２つの隣接する前方歯に対して、実質的に同時に（すなわち、ウェッジ４００を再度位置決めすることなく）歯科修復処置を実行することを可能にすることができるということである。歯科医が２つの隣接する前方歯の各々、例えば、図４Ｌに例解された歯４８２、４８４、に対して歯科修復処置を実行することを所望するとき、マトリックスバンド４９０は、最初に隣接空間（例えば、隣接空間４８０）内に配設され、そのためマトリックスバンド４９０の前向き表面４９２は、修復される歯のうちの１つ（この実施例において、歯４８２）と接触する。次に、ウェッジ４００は、ウェッジ４００のマトリックスバンド４０６が修復されるべき他の歯（この実施例において、歯４８２）と接触するように、隣接空間内に配設することができる。そのようにすることは、マトリックスバンド４０６を適切な位置に位置決めするだけでなく、マトリックスバンド４９０をその適切な位置に案内し（既に存在していない場合）、次いでマトリックスバンド４９０を適切な位置に確実に保持する。修復される歯のうちの一方に対してマトリックスバンド４０６が適切な位置にあり、修復される歯のうちの他方に対してマトリックスバンド４９０が適切な位置にある場合、歯科医は、両方の隣接する歯に対して、実質的に同時に修復処置を行うことができる。
【００６０】
ウェッジ４００は、１つ以上の適切な材料から作製することができるということが理解されるであろう。多くの実施例において、ハンドル部分４０２および本体部分４０４は、第１の材料（例えば、木材、ポリプロピレン等の熱可塑性ポリマー）から作製され、マトリックスバンド４０６は、第１の材料とは異なる、第２の材料（例えば、ステンレス鋼、プラスチック等の金属）から作製されるであろう。しかしながら、他の実施例において、ハンドル部分４０２、本体部分４０４、およびマトリックスバンド４０６は、同じ材料（例えば、プラスチック）から作製されてもよい。
【００６１】
さらに、各前方歯は、右側および左側を有し、このことはウェッジバンド関係もまた、それぞれ右側構造および左側構造を有することを必要とするということが理解されるであろう。図４Ａ〜図４Ｋに例解されたウェッジ４００は、ヒト患者の口内の前方歯のそれぞれの右側を修復するための右手ウェッジとして特別に設計される。図５Ａ〜図５Ｃは、ウェッジ４００の鏡像であるウェッジ５００の別の実施例を例解し、そのためウェッジ５００は、ヒト患者の口内の前方歯のそれぞれの左側を修復するための左手ウェッジとして使用するように特別に設計される。
【００６２】
図６Ａ〜図６Ｑは、後方歯の歯科修復処置において使用するために特別に設計されたウェッジシステム６００の一実施例を図示する。この実施例におけるウェッジシステム６００は、一対のウェッジ、すなわち第１のウェッジ６０２および第１のウェッジ６０２と協働する第２のウェッジ６０４を含む。しかしながら、ウェッジシステム６００は、他の実施例において、第１のウェッジ６０２のみを含み得ることが理解されるであろう。換言すると、ウェッジシステム６００は、第２のウェッジ６０４を含む必要はない。
【００６３】
第１のウェッジ６０２は、修復される後方歯と修復される後方歯に隣接する歯（隣接する歯もまた後方歯であり得る）との間の隣接空間内に配設されるように適合され、一方で第２のウェッジ６０４は、第１のウェッジ６０２の適切な位置決めを容易にするために、第１のウェッジ６０２の部分の間に配設されるように適合されている。第１のウェッジ６０２は、概して、ハンドル部分６０６と、ハンドル部分６０６に結合された基部要素６０７と、基部要素６０７に結合され（例えば、一体的に形成され）かつ基部要素６０７から外側に延在する一対のアーム６０８Ａ、６０８Ｂと、アーム６０８Ａに結合されたマトリックスバンド６１０と、を含む。一方で、第２のウェッジ６０４は、ハンドル部分６１２と、ハンドル部分６１２に結合され（例えば、一体的に形成され）かつハンドル部分６１２から外側に延在する本体部分６１４と、を含む。以下により詳細に説明されるように、第１のウェッジ６００が隣接空間内に配設されるとき、アーム６０８Ａおよびマトリックスバンド６１０は、修復される後方歯に近接して位置決めされ、アーム６０８Ｂは、隣接する歯に近接して位置決めされる。第２のウェッジ６０４の本体部分６１４が第１のウェッジ６０２の部分（この場合、アーム６０８Ａ、６０８Ｂ）の間に配設されるとき、アーム６０８Ａ、６０８Ｂは、互いに離れて、外側に付勢される。アーム６０８Ａ、およびそれに結合されたマトリックスバンド６１０は、修復される後方歯と密接に接触するように強制され、そのため修復される後方歯の空洞は、隣接する歯に実質的に接近しながら封止される。アーム６０８Ｂは、隣接する歯と密接に接触するように強制され、それによって第１のウェッジ６０２を隣接空間内に確実に保持する。さらに、第２のウェッジ６０４を第１のウェッジ６０２に挿入することによって生じるこの双方向の力により、修復される歯が隣接する歯からわずかに分離されることを可能にする。修復処置後にシステム６００全体が除去された後で、修復された歯と隣接する歯との間に適切な近位接触を生じさせるためには、この制御されたわずかな分離が不可欠である。このため、ウェッジシステム６００は、過剰な材料を防止とはいかないまでも、低減させ、それによって仕上げ時間を短縮し、歯科修復処置の失敗率を低減させるだけでなく、所望される後方歯と隣接する歯との間の接点の形成もまた容易にする。
【００６４】
第１のウェッジ６０２のハンドル部分６０６は、概して、ウェッジ６０２を隣接空間内に位置決めする、または隣接空間からウェッジ６０２を取り外す目的で、歯科医が第１のウェッジ６０２を握ることを可能にする。ハンドル部分６０６は、図６Ａ〜図６Ｈに例解される形状を有してもよく、または他の任意の適切な形状を有してもよい。ハンドル部分６０６は、ハンドル軸６２２に沿って第１の端部６１８から第２の端部６２０に延在する。換言すると、ハンドル部分６０６は、第１の端部６１８と第２の端部６２０との間に画定された長さＬｈ２を有する。この実施例において、長さＬｈ２は、約３．５ｍｍに等しい。しかしながら、他の実施例において、長さＬｈ２は、３．５ｍｍより大きく、または３．５ｍｍ未満の可能性がある。ハンドル部分６０６はまた、上面６２４と下面６２６との間に画定される（すなわち、ハンドル軸６２２に対して垂直な）高さＨｈ２を有する。この実施例において、高さＨｈ２は、約２ｍｍに等しいが、他の実施例において、高さＨｈ２は、２ｍｍより大きく、または２ｍｍ未満となる可能性がある。
【００６５】
図６Ｆ〜図６Ｈに最も良く例解されるように、基部要素６０７は、実質的に長方形の形状を有し、アーム６０８Ａ、６０８Ｂは、各々が、ハンドル軸６２２に対して角度θａで配向された、アーム軸６２８Ａ、６２８Ｂに沿ってそれぞれ基部要素６０７から外側に延在する。この実施例において、角度θａは、約１３度に等しく、このため異なる方向において外側に延在するアーム６０８Ａ、６０８Ｂは、互いに約２６度離れる。しかしながら、他の実施例において、この角度θａは、約１０度〜約１５度の間の異なる値である可能性がある。より具体的には、アーム６０８Ａは、基部要素６０７に直ぐ隣接して位置決めされた第１の端部６３０から、アーム軸６２８Ａに沿って、基部要素６０７から離れた第２の端部６３２まで延在し、一方でアーム６０８Ｂは、基部要素６０７およびアーム６０８Ａの第１の端部６３０に直ぐ隣接して位置決めされた第１の端部６３４から、アーム軸６２８Ｂに沿って、基部要素６０７から離れた第２の端部６３６まで延在する。アーム６０８Ａ、６０８Ｂの間の距離は、アーム６０８Ａ、６０８Ｂが、それらのそれぞれの第１の端部６３０、６３４からそれらのそれぞれの第２の端部６３２、６３６まで延在するにつれて、増加することが理解されるであろう。
【００６６】
図６Ｆ〜図６Ｉに最も良く例解されるように、アーム６０８Ａ、６０８Ｂは、形状およびサイズが同一である。アーム６０８Ａ、６０８Ｂの各々は、三角形の前面６３８、前面６３８の反対側の実質的に三角形の後面６４０、ならびに前面６３８および後面６４０と接続する上面６４２および底面６４４によって画定される、実質的に三角形の二形状を有する。第１のウェッジ６０２が隣接空間内に配設されるとき、アーム６０８Ａ、６０８Ｂの前面６３８は、修復される後方歯に面するはずであり、アーム６０８Ａ、６０８Ｂの後面６４０が後方歯に面するはずであるということが理解されるであろう。
【００６７】
第１のウェッジ６０２はまた、その上にマトリックスバンド６１０を確実に保持するために、アーム６０８Ａ、６０８Ｂのうちの一方（この場合、アーム６０８Ａ）の上に設けられた第１の締結要素６４８Ａ、および第２の締結要素６４８Ｂを含む。この実施例において、締結要素６４８Ａ、６４８Ｂの各々は、アーム６０８Ａの前面６３８から外側に延在する円形突出部の形態をとる。しかしながら、他の実施例において、第１のウェッジ６０２は、１つの締結要素のみを含んでもよく、３つ以上の締結要素を含んでもよく、代わりにアーム６０８Ｂ上に１つ以上の締結要素を含んでもよく、または全く含んでいなくてもよい（例えば、アーム６０８Ａ、６０８Ｂのうちの１つは、マトリックスバンド６１０をアーム６０８Ａ、６０８Ｂのうちの１つに固定するための１つ以上の締結具を受容するようにサイズ決定された１つ以上の開口を代わりに含んでもよい）。
【００６８】
図６Ｈに最も良く例解されるように、アーム６０８Ａは、第１の端部６３０と第２の端部６３２との間で、かつ本体軸６２８Ａに沿って、画定された長さＬａを有する。長さＬａは、好ましくは約７．５ｍｍ〜約１３ｍｍの範囲内にあり、第１のウェッジ６０２の全長Ｌｗ１は、約１２ｍｍ〜約１８ｍｍの範囲内である。この実施例において、長さＬａは、約１１．５ｍｍに等しく、基部要素６０７は、約１ｍｍに等しい長さＬｂｅを有し、このため第１のウェッジ６０２の全長Ｌｗ１は、約１６ｍｍに等しい。しかしながら、他の実施例において、長さＬａは、１１．５ｍｍより大きく、または１１．５ｍｍ未満となる可能性があり、ウェッジ６０２の全長Ｌｗ１は、約１６ｍｍより大きくまたは１６ｍｍ未満である。いずれにせよ、この実施例におけるアーム６０８Ａは、図６Ｇで例解されるように、アーム６０８Ａが第１の端部６３０から第２の端部６３２に延在するにつれてわずかに減少する、前面６３８と後面６４０との間の距離として本明細書において画定された、厚さを有する。しかしながら、他の実施例において、アーム６０８Ａは、一定の厚さを有してもよく、または図６Ｈに示されているものよりも大きい程度で先細になってもよい。
【００６９】
また図６Ｈに最も良く例解されるように、アーム６０８Ａは、アーム６０８Ａが第１の端部６３０から第２の端部６３２まで延在するにつれて、減少または先細になる、上面６４２と底面６４４との間の距離として本明細書で画定された、高さを有する。図６Ｈはまた、アーム６０８Ａが第１の端部６３０から第２の端部６３２まで延在するにつれて、アーム６０８Ａが再び上方に湾曲する前に下方に湾曲することを例解する。この実施例において、アーム６０８Ａは、第２の端部６３２の中心点が第１の端部６３０の中心点よりもさらに上方に位置決めされるように、下方に湾曲するよりもより大きい程度で上方に湾曲している。加えて、切欠き６４８が、上面６４２に沿ってアーム６０８Ａ内に形成される。この実施例において、切欠き６４８は、円形の切欠きであり、３ｍｍに等しい長さＬｃｕｔを有する。しかしながら、他の実施例において、切り欠きは、異なる形状および／またはサイズを有することができる。一実施例として、長さＬｃｕｔは、３ｍｍより大きくまたは３ｍｍ未満となる可能性がある。
【００７０】
簡潔にするために、前述の２段落は、アーム６０８Ａの特徴のみを考察する。しかしながら、アーム６０８Ｂがアーム６０８Ｂと形状およびサイズが同一であるので、アーム６０８Ｂは同じ特徴を有することが理解されるであろう。換言すると、アーム６０８Ｂは、アーム６０８Ｂと同一の長さ、高さ、および湾曲を有する。
【００７１】
図６Ｇ〜図６Ｉに例解されるように、第１のウェッジ６０２はまた、アーム６０８Ａ、６０８Ｂを互いに所望の距離に保つのを助けるために、基部要素６０７とアーム６０８Ａ、６０８Ｂとの間に設けられたウィング６５０を含む。ウィング６５０は、アーム６０８Ａ、６０８Ｂの湾曲とほぼ一致する湾曲を有する。より具体的には、ウィング６５０は、図６Ｆおよび図６Ｉに最も良く例解されるように、基部要素６０７からアーム６０８Ａ、６０８Ｂの各々の上面６４２の一部に沿って下方に延在する。このように、アーム６０８Ａ、６０８Ｂと同様に、この実施例におけるウィング６５０もまた、実質的に三角形の形状を有する。しかしながら、他の実施例において、ウィング６５０は、異なる形状および／またはサイズを有することができる。
【００７２】
加えて、第１のウェッジ６０２は、アーム６０８Ａ、６０８Ｂと、少なくともこの実施例において、ウィング６５０との間に形成、または画定される間隙６５２を含む。間隙６５２は、以下でより詳細に考察されるように、概して、第２のウェッジ６０４、特に第２のウェッジ６０４の本体部分６１４を受容するようにサイズ決定される。アーム６０８Ａ、６０８Ｂが、それらのそれぞれの第１の端部６３０、６３４からそれらのそれぞれの第２の端部６３２、６３６まで延在するにつれて、アーム６０８Ａ、６０８Ｂの間の距離が増加するので、間隙６５２のサイズもまた、アーム６０８Ａ、６０８Ｂがそれらのそれぞれの第１の端部６３０、６３４からそれらのそれぞれの第２の端部６３２、６３６まで延在するにつれて増加する。
【００７３】
図６Ｊ〜図６Ｍに例解されるように、第１のウェッジ６０２のマトリックスバンド６１０は、前面６５４、前面６５４の反対側の後面６５６、および前面６５４と後面６５６との間の厚さＴｍ１によって画定される、薄い、実質的に台形の外形を有する。第１のウェッジ６０２が使用されるとき、前面６５４は、修復される後方歯に面する（および係合する）ように設けられ、一方で後面６５６は、修復される後方歯に隣接する歯に面するように設けられる。また図６Ｊ〜図６Ｍに例解されるように、マトリックスバンド６１０は、概して、高さ軸６６２に沿って第１の端部６５８から第２の端部６６０まで延在し、概して、長さ軸６６８に沿って第１の側面６６４から第２の側面６６６まで延在する。図６Ｌに最も良く例解されるように、マトリックスバンド６１０は、高さ軸６６２に沿って、およびそれから離れて、わずかに、緩やかかつ平滑な凹状の湾曲を有する。図６Ｍに最も良く例解されるように、マトリックスバンド６１０は、長さ軸６６８に沿って、わずかに、緩やかかつ平滑な凹状の湾曲を有する。この実施例において、マトリックスバンド６１０は、４０ｍｍの曲率半径Ｒを有するが、他の実施例において、曲率半径Ｒは、３２ｍｍ〜４８ｍｍの範囲内の任意の値であり得る。いずれにせよ、第１の側面６６４と第２の側面６６６との間のマトリックスバンド６１０の部分は、長さ軸６６８からわずかにオフセットすることが理解されるはずである。
【００７４】
マトリックスバンド６１０は、高さＨｍ２および高さＨｍ２よりも大きい長さＬｍ２を有するということが、図６Ｊおよび図６Ｋから理解されるであろう。換言すると、マトリックスバンド６１０は、切歯歯肉寸法と、切歯歯肉寸法よりも大きい頬舌寸法と、を有する。マトリックスバンド６１０の高さＨｍ２は、好ましくは約３ｍｍ〜約６．５ｍｍの範囲内であり、マトリックスバンド６１０の長さＬｍ２は、好ましくは約４．５ｍｍ〜約１１ｍｍの範囲内である。このため、いくつかの実施例において、マトリックスバンド６１０の長さＬｍ２は、マトリックスバンド６１０の高さＨｍ２の少なくとも２倍の大きさであり得る。この実施例において、マトリックスバンド６１０の高さＨｍは、５ｍｍであり、マトリックスバンド６１０の長さＬｍは、９ｍｍである。マトリックスバンド６１０の厚さＴｍ２が、マトリックスバンド６１０の高さＨｍ２および長さＬｍ２よりかなり小さいこともまた、図６Ｋおよび図６Ｌから理解されるであろう。この実施例において、厚さＴｍ２は、０．０５ｍｍに等しいが、厚さＴｍ２は、約０．０２５ｍｍ〜約０．０５ｍｍの間で変化する可能性がある。
【００７５】
アーム６０８Ａ、６０８Ｂ、およびマトリックスバンド６１０がそのように寸法決めされた状態で、アーム６０８Ａは、マトリックスバンド６１０と係合し、保持し、そして支持するように構成される。より具体的には、アーム６０８Ａの湾曲は、マトリックスバンド６１０が一致する湾曲を維持することを可能にする。アーム６０８Ａとマトリックスバンド６１０の両方のこの湾曲は、隣接空間に挿入され、かつ第２のウェッジ６０４を伴い利用されるとき、第１のウェッジ６０２が修復される後方歯の凸状表面と係合することをさらに可能にする。マトリックスバンド６１０は、マトリックスバンド６１０の後面６５８が、アーム６０８Ａの前面６３８に面し、かつ少なくとも部分的に接触するようにアーム６０８Ａに結合される。この実施例において、マトリックスバンド６１０は、第１の締結要素６４８Ａおよび第２の締結要素６４８Ｂを介してアーム６０８Ａに結合され、これらは、マトリックスバンド６１０の後面６５８内に形成された第１および第２の類似形状の開口６７０、６７２に、それぞれ受容される。この実施例において、開口６７０、６７２間の距離Ｄａは、約７．５ｍｍであるが、この距離は変化する可能性がある。締結要素６４８Ａ、６４８Ｂは、任意の既知の様式でその中に固定され得る。他の実施例において、マトリックスバンド６１０は、１つの締結要素、３つ以上の締結要素を介して、または他のいくつかの様式で、アーム６０８Ａに結合されてもよい。いずれにせよ、図６Ａ〜図６Ｅに示されるように、マトリックスバンド６１０がアーム６０８Ａに結合されるとき、高さ軸４５４は、ハンドル軸６２２およびアーム軸６２８Ａの両方に対して角度が付けられる。
【００７６】
ここで図６Ｎ〜図６Ｑを参照すると、第２のウェッジ６０４に関するさらなる詳細が、説明される。最初に、ウェッジ６０４はハンドル部分７０２および本体部分７０４を含むが、ウェッジ６０４は、マトリックスバンドを含まないという点で、第２のウェッジ６０４は、ウェッジ４００と実質的に同様であるということが理解されるであろう。ハンドル部分７０２は、上述のハンドル部分４０２と同一である。このため、簡潔さのために、ハンドル部分７０２が、さらに詳細に考察されることはない。本体部分７０４は、以下に考察される違いを除いて、上記の本体部分４０４と同様である。
【００７７】
第一に、表面４２４、４２６、および４２７によって画定された実質的に三角形の形状を有する本体部分４０４とは異なり、本体部分７０４は、実質的に三角形の前面７２４、前面７２４の反対側の実質的に三角形の後面７２６、ならびに前面７２４および後面７２６と接続する実質的に三角形の上面７２８によって画定された、実質的に三角形の形状を有する。本体部分７０４はまた、図６Ｑに最も良く例解されるように、表面７２４、７２６、および７２８の間に画定、または形成された中空のＶ字形状エリア７３０を有する。アーム６０８Ａ、６０８Ｂを外側に、所望の位置に向かって付勢することによって、第２のウェッジ６０４が第１のウェッジ６０２内に配設されるとき、Ｖ字形状エリア７３０により、第２のウェッジ６０４が偏倚要素（例えば、ばね）として効果的に作用することを可能にするということが理解されるであろう。
【００７８】
第二に、本体部分７０４の寸法は、本体部分４０４の寸法とは異なる。図６Ｏに最も良く例解されるように、本体部分４０４は、第１の端部７２０と第２の端部７２２との間で、かつ本体軸７２３に沿って画定された長さＬｂ２を有する。この実施例において、長さＬｂ２は、約８．５ｍｍに等しく、そのため第２のウェッジ６０４の全長Ｌｗ２は、約１２ｍｍに等しい。しかしながら、他の実施例において、長さＬｂ２は、８．５ｍｍより大きくまたは８．５ｍｍ未満となる可能性があり、ウェッジ６０４の全長Ｌｗ２は、約１２ｍｍより大きくまたは１２ｍｍ未満となる可能性がある（例えば、全長Ｌｗ２は、１０ｍｍ〜１５ｍｍの範囲内となる可能性がある）。いずれにせよ、本体部分７０４は、本体部分７０４が第１の端部７２０から第２の端部７２２まで延在するにつれて、減少する、前面７２４と後面７２６との間の距離として、本明細書で画定された厚さを有する。この実施例において、第１の端部７２０における厚さＴｆｅ２は、約１．２５ｍｍに等しく、第１の端部７２０と第２の端部７２２との間に位置する点７３２における厚さＴ２ｐ１は、約１．１５ｍｍに等しく、第１の端部７２０と第２の端部７２２との間に位置する別の点７３３における厚さＴ２ｐ２は、約０．９０ｍｍに等しく、第２の端部７２２における厚さＴｓｅ２は、約０．４０ｍｍに等しい。しかしながら、他の実施例において、これらの厚さの値は、変化し得る。一実施例として、厚さＴｆｅ２は、約１．２５ｍｍより大きいが、２．０ｍｍ未満であり得、厚さＴ２ｐ１は、約１．１５ｍｍより大きいが、１．９ｍｍ未満であり得、厚さＴ２ｐ２は、約０．９０ｍｍより大きいが、１．６５ｍｍ未満であり得る。本体部分７０４はまた、本体部分７０４が第１の端部７２０から第２の端部７２２に延在するにつれて、減少または先細になる高さを有し、そのため本体部分７０４の底部が、水平に対して角度を付けられ（図６Ｏ参照）、これはウェッジ６０４を隣接空間内に位置決めするのに役立ち得る。この実施例において、第１の端部７２０における高さＨｆｅ２は、約２ｍｍに等しく、第１の端部７２０と第２の端部７２２との間の第１の点７３６における高さＨ２ｐ１は、約１．７２ｍｍに等しく、また第１の端部７２０と第２の端部７２２との間の第２の点７３８における高さＨ２ｐ２は、約１．４８ｍｍに等しい。しかしながら、他の実施例において、これらの高さの値は、変化し得る。
【００７９】
このように構築されて、ウェッジシステム６００は、後方歯のための歯科修復処置（例えば、充填）において使用するために特別に設計される。このような歯科修復処置を実行することが所望されるとき、図６Ｒおよび図６Ｓに例解されるように、第１のウェッジ６０２は、修復される後方歯７８２と修復される後方歯７８２に隣接する後方歯７８４との間の隣接空間内に配設される。各歯が、頬舌幅Ｗｔおよび幅Ｗｔ以下である臨床歯冠の高さＨｔを有しているため、歯７８２、７８４は、後方歯である。第１のウェッジ６０２は、アーム６０８Ａの前面６３８およびマトリックスバンド６１０の前面６５４が修復プロセス中に充填剤を受容するように適合された空洞７８６を有する、修復される後方歯７８２に面するように、隣接空間内に配設される。一方で、アーム６０８Ａの後面６４０およびマトリックスバンド６１０の後面６５６は、隣接する後方歯７８４に面する。
【００８０】
第１のウェッジ６０２が隣接空間内に位置決めされる前、後、または同時に、第２のウェッジ６０４が、隣接空間内に位置決めされる。第１のウェッジ６０２および第２のウェッジ６０４は、第２のウェッジ６０４が間隙６５２内に配設されるように位置決めされる。より具体的には、図６Ｒに最も良く例解されるように、第２のウェッジ６０４の本体部分７０４は、間隙６５２内、アーム６０８Ａと６０８Ｂの間、およびウィング６５０の下に配設される。第２のウェッジ６０４がそのように位置決めされるとき、アーム６０８Ａ、６０８Ｂは、本体部分７０４（特に表面７２４、７２６）によって互いから離れるように外側に付勢される。アーム６０８Ａおよびマトリックスバンド６１０は、修復される後方歯７８２と密接に接触するように付勢され、一方アーム６０８Ｂは、隣接する歯７８４と密接に接触するように付勢される。より具体的には、マトリックスバンド６１０の前面６５４は、修復される後方歯７８２と接触し、マトリックスバンド６１０の実質的に全ての前面６５４が、後方歯７８２と接触する。
【００８１】
有利には、図６Ｒおよび図６Ｓに例解されるように、マトリックスバンド６１０が凹状の湾曲を有し、充填される空洞７８６が凸状であるので、マトリックスバンド６１０の前面６５４は、修復される後方歯７８２と同一面上でしっかりと噛み合う。マトリックスバンド６１０の湾曲はまた、輪郭を修復される後方歯の自然な輪郭に近接して一致させるかまたは接近させることによって、修復の輪郭を適切に成形する。さらに、マトリックスバンド６１０の湾曲は、マトリックスバンド６１０が後方歯７８２の空洞７８６を封止することを可能にし、歯科医が、過剰な材料を、防止とはいかないまでも、低減させながら、空洞７８６を充填することを可能にし、またウェッジ６０２を隣接空間内に固定させ、これによって後方歯７８２が修復されている間、ウェッジ６０２がこの位置から移動することを防止する。これはまた、第２のウェッジ６０４が、第１のウェッジ６０２の間隙６５２内に配設されているという事実によっても助けられる。
【００８２】
さらに、各前方歯は、右側および左側を有し、このことはウェッジバンド関係もまた、それぞれ右側構造および左側構造を有することを必要とするということが理解されるであろう。図６Ａ〜図６Ｐに例解されたウェッジシステム６００は、ヒト患者の口内の後方歯のそれぞれの右側を修復するための右手ウェッジとして特別に設計される。例解されていないが、ウェッジシステム６００は、ヒト患者の口内の後方歯のそれぞれの左側を修復するための左手ウェッジとして使用するために特別に設計されるように反転させることができるということが理解されよう。
【００８３】
例示的な構成における別個の構成要素として提示された明細書、構造、および機能は、組み合わされた構造または構成要素として実装されてもよい。同様に、単一構成要素として提示された構造および機能は、別個の構成要素として実装されてもよい。これらのおよび他の変形、修正、追加、および改善は、本明細書の主題の範囲内にある。
【００８４】
本明細書において使用される際、「一実施形態」または「実施形態」に対する任意の参照は、実施形態と併せて説明された特定の要素、特徴、構造、または特性が、少なくとも１つの実施形態に含められ得ることを意味する。本明細書の様々な場所の「一実施形態において」という語句の出現は、必ずしも全てが同一の実施形態を参照しているとは限らない。
【００８５】
本明細書に使用される際、「備える（ｃｏｍｐｒｉｓｅｓ）、「備える（ｃｏｍｐｒｉｓｉｎｇ）」、「含み得る（ｍａｙ  ｉｎｃｌｕｄｅ）」、「含む（ｉｎｃｌｕｄｉｎｇ）」、「有する（ｈａｓ）」、「有する（ｈａｖｉｎｇ）」という用語、またはそれらの任意の他の変形は、非排他的な包含を網羅することを意図される。例えば、要素のリストを含むプロセス、方法、物品、または装置は、必ずしもそれらの要素のみに限定されるものではなく、明示的に列挙されていないか、またはかかるプロセス、方法、物品もしくは装置に固有の他の要素を含み得る。さらに、正反対に明示的に述べられない限り、「または」は、排他的なまたはではなく、包括的なまたはであることを意味する。例えば、条件ＡまたはＢは、Ａが真（または存在）かつＢが偽（または存在しない）、Ａが偽（または存在しない）かつＢが真（または存在する）、ならびにＡおよびＢの両方が真である（または存在する）のうちのいずれか１つによって満たされる。
【図１Ａ】
2020108868.tif 000003
【図１Ｂ】
2020108868.tif 000004
【図１Ｃ】
2020108868.tif 000005
【図１Ｄ】
2020108868.tif 000006
【図１Ｅ】
2020108868.tif 000007
【図１Ｆ】
2020108868.tif 000008
【図１Ｇ】
2020108868.tif 000009
【図２Ａ】
2020108868.tif 000010
【図２Ｂ】
2020108868.tif 000011
【図２Ｃ】
2020108868.tif 000012
【図２Ｄ】
2020108868.tif 000013
【図３Ａ】
2020108868.tif 000014
【図３Ｂ】
2020108868.tif 000015
【図３Ｃ】
2020108868.tif 000016
【図３Ｄ】
2020108868.tif 000017
【図３Ｅ】
2020108868.tif 000018
【図４Ａ】
2020108868.tif 000019
【図４Ｂ】
2020108868.tif 000020
【図４Ｃ】
2020108868.tif 000021
【図４Ｄ】
2020108868.tif 000022
【図４Ｅ】
2020108868.tif 000023
【図４Ｆ】
2020108868.tif 000024
【図４Ｇ】
2020108868.tif 000025
【図４Ｈ】
2020108868.tif 000026
【図４Ｉ】
2020108868.tif 000027
【図４Ｊ】
2020108868.tif 000028
【図４Ｋ】
2020108868.tif 000029
【図４Ｌ】
2020108868.tif 000030
【図４Ｍ】
2020108868.tif 000031
【図５Ａ】
2020108868.tif 000032
【図５Ｂ】
2020108868.tif 000033
【図５Ｃ】
2020108868.tif 000034
【図６Ａ】
2020108868.tif 000035
【図６Ｂ】
2020108868.tif 000036
【図６Ｃ】
2020108868.tif 000037
【図６Ｄ】
2020108868.tif 000038
【図６Ｅ】
2020108868.tif 000039
【図６Ｆ】
2020108868.tif 000040
【図６Ｇ】
2020108868.tif 000041
【図６Ｈ】
2020108868.tif 000042
【図６Ｉ】
2020108868.tif 000043
【図６Ｊ】
2020108868.tif 000044
【図６Ｋ】
2020108868.tif 000045
【図６Ｌ】
2020108868.tif 000046
【図６Ｍ】
2020108868.tif 000047
【図６Ｎ】
2020108868.tif 000048
【図６Ｏ】
2020108868.tif 000049
【図６Ｐ】
2020108868.tif 000050
【図６Ｑ】
2020108868.tif 000051
【図６Ｒ】
2020108868.tif 000052
【図６Ｓ】
2020108868.tif 000053